(57)【要約】【課題】  本発明は、簡易な構成によって最適な音場環境を提供し得る音声再生装置及び音声再生方法を実現しようとするものである。【解決手段】  複数のスピーカが所定の聴音位置を取り囲むように配置された音声再生装置において、各スピーカに音声信号を供給する信号供給手段と、ユーザの操作に応じて、複数種類のサラウンド音響方式のうち所望のサラウンド音響方式を指定する操作手段と、信号供給手段及び各スピーカ間に設けられ、操作手段により指定されたサラウンド音響方式に対応する各スピーカのみ接続をオン状態に切り換える切換手段とを設けるようにした。【選択図】        図４
2005094159.tif 000002
【特許請求の範囲】
【請求項１】
複数のスピーカが所定の聴音位置を取り囲むように配置された音声再生装置において、
各上記スピーカに音声信号を供給する信号供給手段と、
ユーザの操作に応じて、複数種類のサラウンド音響方式のうち所望の上記サラウンド音響方式を指定する操作手段と、
上記信号供給手段及び各上記スピーカ間に設けられ、上記操作手段により指定された上記サラウンド音響方式に対応する各上記スピーカのみ接続をオン状態に切り換える切換手段と
を具えることを特徴とする音声再生装置。
【請求項２】
上記切換手段は、
複数の上記スピーカのうち、特定種類の上記サラウンド音響方式に対応する配置位置の近傍の各上記スピーカを併用させると共に、当該各スピーカの出力を所定レベル分下げる
ことを特徴とする請求項１に記載の音声再生装置。
【請求項３】
複数のスピーカが所定の聴音位置を取り囲むように配置された音声再生方法において、
ユーザの操作に応じて、複数種類のサラウンド音響方式のうち所望の上記サラウンド音響方式を指定する第１のステップと、
上記指定された上記サラウンド音響方式に対応する各上記スピーカのみ、音声信号を供給するように接続をオン状態に切り換える第２のステップと
を具えることを特徴とする音声再生方法。
【請求項４】
上記第２のステップでは、
複数の上記スピーカのうち、特定種類の上記サラウンド音響方式に対応する配置位置の近傍の各上記スピーカを併用させると共に、当該各スピーカの出力を所定レベル分下げる
ことを特徴とする請求項３に記載の音声再生方法。
【発明の詳細な説明】
【技術分野】
【０００１】
本発明は音声再生装置及び音声再生方法に関し、例えばマルチチャンネルのサラウンドシステムに適用して好適なものである。
【背景技術】
【０００２】
従来、この種のマルチチャンネルのサラウンドシステムにおいては、複数チャンネルに対応するスピーカをユーザを取り囲むようにそれぞれ配置しておき、聴音するユーザにとって広がり感を伴いつつ原信号の方向感を保存し得るような立体的な音場環境を構築することにより、ユーザに臨場感を与えるようになされている。
【０００３】
近年では、音声のみならず映像とも一体化したＡＶ（Audio/Visual）サラウンドシステムも普及しており、テレビジョン受像機と複数のスピーカとを組み合わせた複数種類のサラウンドシステムが提案され商品化されている（例えば、特許文献１参照）。
【特許文献１】特開２００２−３６７２９０公報（第６頁〜第７頁、図１３）
【発明の開示】
【発明が解決しようとする課題】
【０００４】
ところが、ユーザが視聴する映像音声のジャンルごとに最適な臨場感が異なることから、全てのスピーカの配置状態を固定したままでは、音場環境の相違に基づき不自然な感じを受けるおそれがある。
【０００５】
例えば映画鑑賞と音楽鑑賞とでは、要求される音場環境が全く異なる。すなわち、映画鑑賞の場合には、あたかも映画館内に居るような臨場感を得る必要があるため、ユーザの周囲にできるだけ多くのスピーカを配置するのが良い。これに対して、音楽鑑賞の場合には、あたかもコンサートホール内で演奏を聴音するような臨場感を得る必要があるため、ユーザの前方及び両側方にスピーカを配置するのが好ましい場合が多い（音声収録条件による）。
【０００６】
このような音場環境の相違を補うべく、映画鑑賞の場合と音楽鑑賞の場合とで、ＡＶサラウンドシステムを構成する複数のスピーカの配置位置を、そのつどユーザが移動させる手法が考えられる。
【０００７】
しかし、実際に一般家庭内に設置されたＡＶサラウンドシステムを、映像音声のジャンルが変わるたびにユーザが複数のスピーカの配置位置を最適な場所に移動し直すのは手間がかかるという問題があった。このうちユーザの左右に置くスピーカは、映画鑑賞用では音場の広がりを演出すべく壁に掛けるのに対して、音楽鑑賞用では、原音に対して忠実にすべく床に置くのが好ましいため、スピーカの移動によるユーザの負担が特に大きかった。
【０００８】
この問題を解決する方法として、ユーザが所望する全ての映像音声のジャンルに対応し得るだけの数のスピーカを所望位置に配置しておき、ジャンルが異なるごとに、各スピーカの配線を付け替えると共に、各スピーカのアンプの出力調整を行い、さらには必要に応じて該当する配線をつなぎ合わせるといった方法が提案されている。
【０００９】
ところが、スピーカの配置移動よりは簡単に行えても、ユーザが映像音声のジャンルが変わるたびに、配線の付け替えやアンプ調整等を行うのは、実用上不便であることには変わりがなく、未だ不十分な問題があった。
【００１０】
本発明は以上の点を考慮してなされたもので、簡易な構成によって最適な音場環境を提供し得る音声再生装置及び音声再生方法を提案しようとするものである。
【課題を解決するための手段】
【００１１】
かかる課題を解決するため本発明においては、複数のスピーカが所定の聴音位置を取り囲むように配置された音声再生装置において、各スピーカに音声信号を供給する信号供給手段と、ユーザの操作に応じて、複数種類のサラウンド音響方式のうち所望のサラウンド音響方式を指定する操作手段と、信号供給手段及び各スピーカ間に設けられ、操作手段により指定されたサラウンド音響方式に対応する各スピーカのみ接続をオン状態に切り換える切換手段とを設けるようにした。
【００１２】
この結果この音声再生装置においては、ユーザは所望の映像音声のジャンルを選択する際に、簡単な操作を行うだけで、サラウンド音響方式を変更することができることから、従来のような配線の付け替えやアンプ調整等を行う煩雑さを回避することができる。
【００１３】
また本発明においては、複数のスピーカが所定の聴音位置を取り囲むように配置された音声再生方法において、ユーザの操作に応じて、複数種類のサラウンド音響方式のうち所望のサラウンド音響方式を指定した後、当該指定されたサラウンド音響方式に対応する各スピーカのみ、音声信号を供給するように接続をオン状態に切り換えるようにした。
【００１４】
この結果この音声再生方法においては、ユーザは所望の映像音声のジャンルを選択する際に、簡単な操作を行うだけで、サラウンド音響方式を変更することができることから、従来のような配線の付け替えやアンプ調整等を行う煩雑さを回避することができる。
【発明の効果】
【００１５】
上述のように本発明によれば、複数のスピーカが所定の聴音位置を取り囲むように配置された音声再生装置において、各スピーカに音声信号を供給する信号供給手段と、ユーザの操作に応じて、複数種類のサラウンド音響方式のうち所望のサラウンド音響方式を指定する操作手段と、信号供給手段及び各スピーカ間に設けられ、操作手段により指定されたサラウンド音響方式に対応する各スピーカのみ接続をオン状態に切り換える切換手段とを設けるようにしたことにより、ユーザは所望の映像音声のジャンルを選択する際に、簡単な操作を行うだけで、サラウンド音響方式を変更することができ、かくして簡易な構成によって最適な音場環境を提供し得る音声再生装置を実現できる。
【００１６】
また本発明によれば、複数のスピーカが所定の聴音位置を取り囲むように配置された音声再生方法において、ユーザの操作に応じて、複数種類のサラウンド音響方式のうち所望のサラウンド音響方式を指定した後、当該指定されたサラウンド音響方式に対応する各スピーカのみ、音声信号を供給するように接続をオン状態に切り換えるようにしたことにより、ユーザは所望の映像音声のジャンルを選択する際に、簡単な操作を行うだけで、サラウンド音響方式を変更することができ、かくして簡易な構成によって最適な音場環境を提供し得る音声再生方法を実現できる。
【発明を実施するための最良の形態】
【００１７】
以下図面について、本願発明の一実施の形態について説明する。
【００１８】
（１）本実施の形態によるＡＶサラウンドシステムの構成
図１（Ａ）及び（Ｂ）において、１は全体として本実施の形態によるＡＶサラウンドシステムを示し、１台のテレビジョン受像機２と、複数種類でなる９個のスピーカＳＰ１〜ＳＰ９と、これらテレビジョン受像器２及び全てのスピーカＳＰ１〜ＳＰ９を制御するためのＡＶコントローラ３とがユーザの指定に応じた所定の配置状態を保って配置されることにより構成されている。
【００１９】
このＡＶサラウンドシステム１では、９個のスピーカＳＰ１〜ＳＰ９は、視聴者であるユーザの視聴位置を基準として、前方中央のセンタスピーカＳＰ１と、当該センタスピーカＳＰ１の左右に位置する左フロントスピーカＳＰ２及び右フロントスピーカＳＰ３と、当該視聴位置の左右上方に位置する壁掛け用のサラウンド左上スピーカＳＰ４及びサラウンド右上スピーカＳＰ５と、当該視聴位置の左右側方に位置する床置き用のサラウンド左下スピーカＳＰ６及びサラウンド右下スピーカＳＰ７と、当該視聴位置の左右後方に位置するサラウンド左バックスピーカＳＰ８及びサラウンド右バックスピーカＳＰ９とからなる。
【００２０】
これら９個のスピーカＳＰ１〜ＳＰ９の配置状態は、例えば国際標準規格ＩＴＵ−Ｒ等に基づく各種サラウンド方式（以下、これをサラウンド音響方式と呼ぶ）に対応する配置位置が予め定められており、本実施の形態におけるマルチチャンネルのＡＶサラウンドシステム１の場合には、ユーザの選択に応じて映画鑑賞用の７．１ｃｈ方式又は音楽鑑賞用の５．１ｃｈ方式のディジタル音声規格に基づく方式を兼用できるように配置位置が予め決められている。
【００２１】
かかる７．１ｃｈ方式としては、例えばDOLBY DIGITAL SURROUND EX（商標）及びDTS EXTENDED SURROUND（商標）の各６.1ｃｈ方式における後方のスピーカ出力成分を２系統に分配したものが挙げられる。このためサラウンド左上スピーカＳＰ４、サラウンド左バックスピーカＳＰ８、サラウンド右上スピーカＳＰ５及びサラウンド右バックスピーカＳＰ９は同一平面上に配置され、より一層映画用に最適な臨場感が得られるような音場環境を構築し得るようになされている。
【００２２】
例えば映画鑑賞用の７．１ｃｈ方式の場合には、図２（Ａ）及び図３（Ａ）に示すように、ＡＶサラウンドシステム１のうちセンタスピーカＳＰ１、左フロントスピーカＳＰ２、右フロントスピーカＳＰ３、サラウンド左上スピーカＳＰ４及びサラウンド右上スピーカＳＰ５の５個のスピーカから再生音声を出力することにより、ユーザにあたかも映画館内に居るような臨場感を与えることができる。
【００２３】
また音楽鑑賞用の５．１ｃｈ方式の場合には、図２（Ｂ）及び図３（Ｂ）示すように、ＡＶサラウンドシステム１のうちセンタスピーカＳＰ１、左フロントスピーカＳＰ２、右フロントスピーカＳＰ３、サラウンド左下スピーカＳＰ６及びサラウンド右下スピーカＳＰ７の５個のスピーカから再生音声を出力することにより、ユーザにあたかもコンサートホール内で演奏を聴音するような臨場感を与えることができる。
【００２４】
なお図１（Ｂ）に示すように、実際には、上述のような７．１ｃｈ方式及び５．１ｃｈ方式を実現すべく、低域補正（ＬＦＥ：Low Frequency Enhancement）用のスーパーウーファ（Super Woofer）ＳＰＷがユーザの所望位置に配置されており、それぞれの場合において０．１ｃｈ分を満たすようになされている。
【００２５】
（２）ＡＶコントローラの構成
図４は、本実施の形態におけるＡＶコントローラ３の部分的構成を示し、ＣＰＵ１０は、外部から供給される各種の圧縮フォーマットに基づいて圧縮された音声信号Ｓ１Ａ〜Ｓ１Ｎを、デコーダ１１において元の音声信号に復号させると共に、当該音声信号が映画鑑賞用の７．１ｃｈ方式の場合には７チャンネル分のディジタル音声信号Ｓ２Ａ〜Ｓ２Ｇに変換する一方、音楽鑑賞用の５．１ｃｈ方式の場合には５チャンネル分のディジタル音声信号Ｓ２Ｂ〜Ｓ２Ｆに変換する。
【００２６】
続いてＣＰＵ１０は、デコーダ１１から出力される各チャンネル分のディジタル音声信号Ｓ２Ａ〜Ｓ２Ｇを、それぞれＤ／Ａ（ディジタル／アナログ）変換器１２Ａ〜１２Ｇを介してアナログ音声信号Ｓ３Ａ〜Ｓ３Ｇに変換した後、可変抵抗器１３Ａ〜１３Ｇ及び続くアンプ１４Ａ〜１４Ｇを介して増幅させる。
【００２７】
これら各チャンネル分のアナログ音声信号Ｓ３Ａ〜Ｓ３Ｇのうち、アナログ音声信号Ｓ３Ｄ、Ｓ３Ｃ、Ｓ３Ｅは、そのまま対応するセンタスピーカＳＰ１、左フロントスピーカＳＰ２及び右フロントスピーカＳＰ３に送出され、アナログ音声信号Ｓ３Ａ、Ｓ３Ｂ、Ｓ３Ｆ、Ｓ３Ｇは、それぞれ対応するスイッチ回路１５Ａ〜１５Ｆに送出される。
【００２８】
これら全てのスイッチ回路１５Ａ〜１５Ｆは、ＣＰＵ１０により切換制御され、ユーザが押圧式のボタン群でなる操作部１６を用いて映画鑑賞用の７．１ｃｈ方式又は音楽鑑賞用の５．１ｃｈ方式のサラウンド音響方式を選択的に指定することにより、ＣＰＵ１０から当該指定されたサラウンド音響方式に応じた切換制御信号Ｓ１０が対応する各スイッチ回路１５Ａ〜１５Ｆに与えられる。
【００２９】
これらスイッチ回路１５Ａ〜１５Ｆは、一入力一出力端の構成でなり、出力端がそれぞれサラウンド左バックスピーカＳＰ８、サラウンド左下スピーカＳＰ６、サラウンド左上スピーカＳＰ４、サラウンド右上スピーカＳＰ５、サラウンド右下スピーカＳＰ７及びサラウンド右バックスピーカＳＰ９に接続されている。
【００３０】
実際にかかるＡＶサラウンドシステム１では、ユーザが操作部１６を用いて、映画鑑賞用の７．１ｃｈ方式を選択すると、ＡＶコントローラ３内のＣＰＵ１０は、スイッチ回路１５Ａ、１５Ｃ、１５Ｄ、１５Ｆの出力端をオン状態に切り換える一方、スイッチ回路１５Ｂ、１５Ｅの出力端をオフ状態に切り換えるように切換制御信号Ｓ１０を送出する。
【００３１】
一方、ユーザが操作部１６を用いて、音楽鑑賞用の５．１ｃｈ方式を選択すると、ＡＶコントローラ３内のＣＰＵ１０は、スイッチ回路１５Ａ、１５Ｃ、１５Ｄ、１５Ｆの出力端をオフ状態に切り換える一方、スイッチ回路１５Ｂ、１５Ｅの出力端をオン状態に切り換えるように切換制御信号Ｓ１０を送出する。
【００３２】
ここで映画鑑賞用の７．１ｃｈ方式に応じたスピーカＳＰ１〜ＳＰ５、ＳＰ８及びＳＰ９が選択された状態において、当該７．１ｃｈ方式に応じた音声信号Ｓ１Ａ〜Ｓ１Ｎが入力された場合には、７チャンネル分のディジタル音声信号Ｓ２Ａ〜Ｓ２Ｇをそのまま対応するスピーカＳＰ１〜ＳＰ５、ＳＰ８及びＳＰ９を介して音声出力されるが、５．１ｃｈ方式に応じた音声信号Ｓ１Ａ〜Ｓ１Ｎが入力された場合には、サラウンド左上スピーカＳＰ４及びサラウンド左バックスピーカＳＰ８と、サラウンド右上スピーカＳＰ５及びサラウンド右バックスピーカＳＰ９とを、それぞれ２個で１個分のスピーカを構築するように、双方の出力を併せた合成音声のレベルを所定レベル分（例えば３〔ｄＢ〕分）下げるように、可変抵抗器１３Ａ、１３Ｂ及び１３Ｆ、１３Ｇを調整するようになされている。
【００３３】
これに対して音楽鑑賞用の５．１ｃｈ方式に応じたスピーカＳＰ１〜ＳＰ３、ＳＰ６及びＳＰ７が選択された状態において、当該５．１ｃｈ方式に応じた音声信号Ｓ１Ａ〜Ｓ１Ｎが入力された場合には、５チャンネル分のディジタル音声信号Ｓ２Ｂ〜Ｓ２Ｆをそのまま対応するスピーカＳＰ１〜ＳＰ３、ＳＰ６及びＳＰ７を介して音声出力されるが、７．１ｃｈ方式に応じた音声信号Ｓ１Ａ〜Ｓ１Ｎが入力された場合には、サラウンド左バックスピーカＳＰ８及びサラウンド右バックスピーカＳＰ９の音声成分を生成することなく、当該スピーカＳＰ８、ＳＰ９の出力をオフ状態にするようになされている。
【００３４】
（３）本実施の形態による動作及び効果
以上の構成において、このＡＶサラウンドシステム１では、ユーザの操作に応じて映画鑑賞用の７．１ｃｈ方式が選択されると、ＡＶコントローラ３は、スイッチ回路１５Ａ、１５Ｃ、１５Ｄ、１５Ｆの出力端をオン状態に切り換える一方、スイッチ回路１５Ｂ、１５Ｅの出力端をオフ状態に切り換えることにより、ユーザの周囲を取り囲むスピーカＳＰ１〜ＳＰ５、ＳＰ８及びＳＰ９から再生音声を出力させることができ、この結果あたかも映画館内に居るような臨場感をユーザに与えることができる。
【００３５】
一方、ユーザの操作に応じて音楽鑑賞用の５．１ｃｈ方式が選択されると、ＡＶコントローラ３は、スイッチ回路１５Ａ、１５Ｃ、１５Ｄ、１５Ｆの出力端をオフ状態に切り換える一方、スイッチ回路１５Ｂ、１５Ｅの出力端をオン状態に切り換えることにより、ユーザの前方及び両側方のスピーカＳＰ１〜ＳＰ３、ＳＰ６、ＳＰ７のみから再生音声を出力させることができ、この結果あたかもコンサートホール内で演奏を聴音するような臨場感をユーザに与えることができる。
【００３６】
特に床置きであるサラウンド左下スピーカＳＰ６及びサラウンド右下スピーカＳＰ７の再生出力音質が、サラウンド左上スピーカＳＰ４、サラウンド右上スピーカＳＰ５、サラウンド左バックスピーカＳＰ８及びサラウンド右バックスピーカＳＰ９よりも格段と高い場合には、原音に対する忠実度を一層増すことができる。
【００３７】
かくしてこのＡＶサラウンドシステム１では、ユーザは所望の映像音声のジャンルを選択する際に、簡単なボタン操作を行うだけで、サラウンド音響方式を変更することができることから、従来のような配線の付け替えやアンプ調整等を行う煩雑さを回避することができる。
【００３８】
以上の構成によれば、ＡＶサラウンドシステム１において、ユーザの操作に応じてサラウンド音響方式が選択されたとき、当該サラウンド音響方式に対応するスピーカからのみ再生音声を出力するようにしたことにより、従来のような配線の付け替えやアンプ調整等を行う煩雑さを回避することができ、かくして簡易な構成によって最適な音場環境を提供し得るＡＶサラウンドシステム１を実現できる。
【００３９】
（４）他の実施の構成
なお上述のように本実施の形態においては、複数のスピーカＳＰ１〜ＳＰ９が所定の聴音位置を取り囲むように配置された音声再生装置として、図１に示す構成からなるＡＶサラウンドシステム１を適用するようにした場合について述べたが、本発明はこれに限らず、要は、複数種類のサラウンド音響方式を実現できるように複数のスピーカが配置された構成のものであれば、この他種々の構成の音声再生装置に広く適用することができる。
【００４０】
また本発明においては、各スピーカＳＰ１〜ＳＰ９に音声信号Ｓ１Ａ〜Ｓ１Ｎを供給する信号供給手段として、ＡＶコントローラ３内のデコーダ１１を適用し、外部から供給される各種の圧縮フォーマットに基づいて圧縮された音声信号Ｓ１Ａ〜Ｓ１Ｎを元の音声信号に復号するようにした場合について述べたが、本発明はこれに限らず、外部供給される音声信号を、指定されたサラウンド音響方式に応じたチャンネル分のディジタル音声信号に変換することができれば、この他種々の構成の信号供給手段に広く適用するようにしても良い。
【００４１】
さらに上述の実施の形態においては、ユーザの操作に応じて、複数種類のサラウンド音響方式のうち所望のサラウンド音響方式を指定する操作手段として、ＡＶコントローラ３内の操作部１６を適用するようにした場合について述べたが、本発明はこれに限らず、簡単な操作で所望のサラウンド音響方式を指定することができれば、この他種々の構成からなる操作手段に広く適用するようにしても良い。
【００４２】
さらに上述の実施の形態においては、デコーダ（信号供給手段）１１及び各スピーカＳＰ１〜ＳＰ９間に設けられ、操作部（操作手段）１６により指定されたサラウンド音響方式に対応する各スピーカのみ接続をオン状態に切り換える切換手段として、複数のスイッチ回路１５Ａ〜１５Ｆ及びＣＰＵ１０を適用するようにした場合について述べたが、本発明はこれに限らず、該当するスピーカのみ接続をオン状態に切り換えることができれば、この他種々の構成からなる切換手段に広く適用するようにしても良い。
【００４３】
また映画鑑賞用の７．１ｃｈ方式に対応する配置位置を、本実施の形態におけるＡＶサラウンドシステム１における７個のスピーカＳＰ１〜ＳＰ５、ＳＰ８及びＳＰ９のみならず、図５に示すように、サラウンド左上スピーカＳＰ４及びサラウンド右上スピーカＳＰ５よりも前方にサラウンド左前スピーカＳＰ１０及びサラウンド右前スピーカＳＰ１１を同一平面上に形成するようにした９個のスピーカからなるＡＶサラウンドシステム２０を構築するようにしても良い。
【００４４】
このような９．１ｃｈ方式の場合、映画鑑賞用の７．１ｃｈ方式に応じた音声信号Ｓ１Ａ〜Ｓ１Ｎが入力されたときには、サラウンド左上スピーカＳＰ４及びサラウンド左前スピーカＳＰ１０と、サラウンド右上スピーカＳＰ５及びサラウンド右前スピーカＳＰ１１とを、それぞれ２個で１個分のスピーカを構築するように、双方の出力を併せた合成音声のレベルを所定レベル分（例えば３〔ｄＢ〕分）下げるように、可変抵抗器（図示せず）等を調整すれば良い。
【００４５】
また音楽鑑賞用の５．１ｃｈ方式に応じた音声信号Ｓ１Ａ〜Ｓ１Ｎが入力されたときには、サラウンド左上スピーカＳＰ４、サラウンド左バックスピーカＳＰ８及びサラウンド左前スピーカＳＰ１０と、サラウンド右上スピーカＳＰ５、サラウンド右バックスピーカＳＰ９及びサラウンド右前スピーカＳＰ１１とを併用させると共に、当該各スピーカの出力をそれぞれ所定レベル分（4.5〔ｄＢ〕分）下げるように、可変抵抗器（図示せず）等を調整すれば良い。
【００４６】
さらに音楽鑑賞用の５．１ｃｈ方式に対応する配置位置を、本実施の形態におけるＡＶサラウンドシステム１における５個のスピーカＳＰ１〜ＳＰ３、ＳＰ６、ＳＰ７のみならず、図６に示すように、サラウンド左下スピーカＳＰ６及びサラウンド右下スピーカＳＰ７よりも少し高めに、当該スピーカＳＰ６及びＳＰ７と同質でなる床置きのサラウンド左バックスピーカＳＰ１２及びサラウンド右バックスピーカＳＰ１３を配置するようにした７個のスピーカからなるＡＶサラウンドシステム３０を構築するようにしても良い。
【００４７】
このように要は、現在の各スピーカの配置位置を特定種類のサラウンド音響方式に対応する配置位置にしておき、当該サラウンド音響方式に相当しない音声信号が入力された場合であっても、当該配置位置の近傍の複数のスピーカを併用させて同等の音場環境をユーザに提供することができれば、併用されるスピーカ同士の組み合わせは種々のものでも良い。
【産業上の利用可能性】
【００４８】
音声再生装置及び音声再生方法において、ホームシアタやディジタルサウンドシステムに適用することができる。
【図面の簡単な説明】
【００４９】
【図１】本実施の形態によるＡＶサラウンドシステムの構成を示す略線図である。
【図２】各種サラウンド音響方式に応じたスピーカの配置状態の説明に供する略線的な平面図である。
【図３】各種サラウンド音響方式に応じたスピーカの配置状態の説明に供する略線的な斜視図である。
【図４】ＡＶコントローラの内部構成を示すブロック図である。
【図５】他の実施の形態によるＡＶサラウンドシステムの構成を示す略線図である。
【図６】他の実施の形態によるＡＶサラウンドシステムの構成を示す略線図である。
【符号の説明】
【００５０】
１、２０、３０…ＡＶサラウンドシステム、２……テレビジョン受像機、３……ＡＶコントローラ、１０……ＣＰＵ、１１……デコーダ、１２Ａ〜１２Ｇ……Ｄ／Ａ変換器、１３Ａ〜１３Ｇ……可変抵抗器、１４Ａ〜１４Ｇ……アンプ、１５Ａ〜１５Ｆ……スイッチ回路、ＳＰ１〜ＳＰ１３……スピーカ。
【図１】
2005094159.tif 000003
【図２】
2005094159.tif 000004
【図３】
2005094159.tif 000005
【図４】
2005094159.tif 000006
【図５】
2005094159.tif 000007
【図６】
2005094159.tif 000008